(57)【要約】  画像読取装置は、主走査方向の端面に光源からの光が入射され、相対的に副走査方向に移動する読取対象物へ光を出射する主走査方向に延在する導光体（５，６）と、導光体（５，６）の主走査方向の端面と光源との間に設けられ、光源から発せられた光の内、特定の波長の光を遮断又は減衰させる光学フィルタと、読取対象物で反射した反射光を収束して、反射光を電気信号に変換する受光体上に結像させるレンズ体と、導光体（５，６）、光学フィルタ、及びレンズ体を保持するレンズホルダ（１１，１２）と、を備える。レンズホルダ（１１，１２）は、導光体（５，６）の、高さ方向の位置及び副走査方向の位置を決める第１の位置決め部（１１ａ，１１ｂ，１２ａ，１２ｂ）と、光学フィルタの、高さ方向の位置及び副走査方向の位置を決める第２の位置決め部（１１ｈ，１１ｉ，１２ｈ，１２ｉ，１１ｊ，１１ｋ，１２ｊ，１２ｋ）と、を備える。
2020050300.tif 000002
【特許請求の範囲】
【請求項１】
主走査方向の端面に光源からの光が入射され、相対的に副走査方向に移動する読取対象物へ光を出射する主走査方向に延在する導光体と、前記導光体の主走査方向の端面と前記光源との間に設けられ、前記光源から発せられた光の内、特定の波長の光を遮断又は減衰させる光学フィルタと、前記読取対象物で反射した反射光を収束して、前記反射光を電気信号に変換する受光体上に結像させるレンズ体と、前記導光体、前記光学フィルタ、及び前記レンズ体を保持するレンズホルダと、を備えた画像読取装置において、
前記レンズホルダは、前記導光体の、主走査方向と副走査方向とに直交する高さ方向の位置及び副走査方向の位置を決める第１の位置決め部と、前記光学フィルタの、主走査方向と副走査方向とに直交する高さ方向の位置及び副走査方向の位置を決める第２の位置決め部と、を備える、
画像読取装置。
【請求項２】
前記第２の位置決め部は、前記レンズホルダの前記光源に対向する面において、前記第１の位置決め部の位置よりも副走査方向の前記導光体とは反対側にずれた位置にあり、
前記光学フィルタは、前記レンズホルダの前記光源に対向する面の前記第１の位置決め部と前記第２の位置決め部との間に設けられた接着面に、前記第２の位置決め部を基準に接着剤で接着されて固定され、
前記接着面の境界に凹状の余剰接着剤溜り部が形成されており、前記余剰接着剤溜り部の一部は、前記接着面に設けられ、前記余剰接着剤溜り部の残りの部分は、副走査方向の前記導光体とは反対方向に前記接着面から出ている、
請求項１に記載の画像読取装置。
【請求項３】
前記余剰接着剤溜り部は、前記第２の位置決め部における前記光学フィルタの副走査方向の位置を決める部分を跨いで形成される、請求項２に記載の画像読取装置。
【請求項４】
前記余剰接着剤溜り部の開口は円形である、請求項２または請求項３に記載の画像読取装置。
【請求項５】
前記第１の位置決め部の面形状の少なくとも一部は、前記導光体の対面する面形状に等しい、請求項１から請求項４のいずれか１項に記載の画像読取装置。
【請求項６】
前記第１の位置決め部によって位置決めされた前記導光体と、前記第２の位置決め部によって位置決めされた前記光学フィルタとは、前記導光体の副走査方向の断面中心と前記光学フィルタの副走査方向の断面中心との副走査方向及び高さ方向の位置が一致する請求項１から請求項５のいずれか１項に記載の画像読取装置。
【請求項７】
前記導光体の主走査方向の端面に対向して設けられた前記光源と、
主走査方向に配列され、前記レンズ体で収束された前記反射光を電気信号に変換する前記受光体と、
を備える、
請求項１から請求項６のいずれか１項に記載の画像読取装置。
【発明の詳細な説明】
【技術分野】
【０００１】
本発明は、コピー機、デジタル複合機などに用いられる、原稿の画像を読み取る画像読取装置に関するものである。
【背景技術】
【０００２】
画像読取装置は、相対的に副走査方向に移動する読取対象からの反射光を、主走査方向に配列された受光体が受光することで、読取対象の画像を得る。画像読取装置の光学系には、読み取り深さの均一性の要求及びコピー機、スキャナ等の高解像度化に伴い、主走査方向である長手方向に均一な光を照射すること及び原稿、レンズ体、受光体の相互位置を高い精度で規定する構造が求められている。例えば、特許文献１に記載の画像読取装置は、読取対象物に光を照射する照明ユニットと、読取対象物からの反射光を結像する結像ユニットを備えている。【０００３】
照明ユニットは、主走査方向へ光を導きながら射出する導光体と、導光体における主走査方向である長手方向の端面に対面して配置された光を放射する光源と、導光体の端部を保持する導光体ホルダと、照明ユニットを構成する各部品が収容される板金部材である筐体と、導光体ホルダを筐体に固定するための遮光性を有する遮光材とを備えている。【０００４】
また、導光体における主走査方向である長手方向の端面とその端面に対面して配置された光源との間には、例えば赤外光カットフィルタ（ＩＲＣＦ：Infrared Cut Filter）のような、特定の波長の光をカットする光学部品である光学フィルタが設けられている。この光学フィルタは、両面テープ、接着剤などを用いて導光体ホルダに固定されている。【０００５】
ここで、特許文献１に記載のような光学フィルタを備える画像読取装置では、導光体ホルダに接着された光学フィルタの導光体に対する位置が高精度で決められることが重要である。【０００６】
特許文献２に記載の撮像装置では、光学フィルタを接着剤で接着する場合、接着剤が光の通過経路、すなわち、光がレンズ部を通過した領域に侵入することを有効に防止する為に接着剤の溜り溝を接着部内に形成している。
【先行技術文献】
【特許文献】
【０００７】
【特許文献１】国際公開第２０１４／１２９５４９号
【特許文献２】特開２００７−８６５９８号公報
【発明の概要】
【発明が解決しようとする課題】
【０００８】
特許文献１には、光学フィルタを導光体ホルダに接着して固定することは開示されているものの、原稿に光を照射する導光体と特定の波長帯をカットする光学フィルタとの相対位置を高精度に保つ構造が開示されていない。このため、導光体と光学フィルタとの位置のばらつきによって画像読取装置の画像の品質が低下するという課題がある。【０００９】
また、特許文献２には、接着剤の溜り溝が、光学フィルタを固定する際に接着剤が光の通過領域、すなわち光がレンズ部を通過した領域に侵入することを有効に防止しているとの記載があるが、接着剤の溜り溝の深さ、接着剤の溜り溝の幅等の形状に関する開示が無い。このため、多量の接着剤を塗布した場合は接着剤の溜まり溝から接着剤がはみ出る場合があり、光がレンズ部を通過した領域へ接着剤が流れ込み、画像読取装置の画像の品質が低下するという課題がある。【００１０】
本発明は、上述のような課題を解決するためになされたもので、導光体と光学フィルタとの相対位置を高精度に保って画像が高品質な画像読取装置を得ることを第１の目的とし、光学フィルタ接着時の接着剤の導光体側への流れ込みを防止して画像が高品質な画像読取装置を得ることを第２の目的とする。
【課題を解決するための手段】
【００１１】
本発明に係る画像読取装置は、主走査方向の端面に光源からの光が入射され、相対的に副走査方向に移動する読取対象物へ光を出射する主走査方向に延在する導光体と、導光体の主走査方向の端面と光源との間に設けられ、光源から発せられた光の内、特定の波長の光を遮断又は減衰させる光学フィルタと、読取対象物で反射した反射光を収束して、反射光を電気信号に変換する受光体上に結像させるレンズ体と、導光体、光学フィルタ、及びレンズ体を保持するレンズホルダと、を備える。
レンズホルダは、導光体の、主走査方向と副走査方向とに直交する高さ方向の位置及び副走査方向の位置を決める第１の位置決め部と、光学フィルタの、主走査方向と副走査方向とに直交する高さ方向の位置及び副走査方向の位置を決める第２の位置決め部と、を備える。
【発明の効果】
【００１２】
本発明によれば、導光体と光学フィルタとをレンズホルダで位置決めをすることで、両者の相対位置を高精度に保って画像が高品質な画像読取装置を得ることができる。
【図面の簡単な説明】
【００１３】
【図１】本発明の実施の形態１に係る画像読取装置の展開斜視図
【図２】本発明の実施の形態１に係る画像読取装置の斜視図
【図３Ａ】本発明の実施の形態１に係る光源ユニットの展開斜視図
【図３Ｂ】本発明の実施の形態１に係る光源ユニットの斜視図
【図４Ａ】本発明の実施の形態１に係る画像読取装置において図２のＢ−Ｂ１部における副走査方向の断面図
【図４Ｂ】本発明の実施の形態１に係る画像読取装置において図２のＣ−Ｃ１部における副走査方向の断面図
【図５Ａ】本発明の実施の形態１に係る導光体ホルダを筐体に挿入する前の状態を示す斜視図
【図５Ｂ】本発明の実施の形態１に係る導光体ホルダを筐体に挿入した後の状態を示す斜視図
【図６Ａ】本発明の実施の形態１に係る導光体及びレンズホルダを主走査方向に光源側から見た平面図
【図６Ｂ】本発明の実施の形態１に係る導光体及び光学フィルタが装着されたレンズホルダを主走査方向に光源側から見た平面図
【図７Ａ】本発明の実施の形態１に係るレンズホルダの一例の斜視図
【図７Ｂ】本発明の実施の形態１に係るレンズホルダの他の例の斜視図
【図８】本発明の実施の形態１に係るレンズホルダの他の余剰接着剤溜り部の機構図
【発明を実施するための形態】
【００１４】
実施の形態１．
本発明の実施の形態１について、図１から図８を用いて説明する。図１は、本発明の実施の形態１に係る画像読取装置１００の展開斜視図である。図２は、本発明の実施の形態１に係る画像読取装置１００の斜視図である。図１において、原稿Ｍは、画像読取装置１００の読取対象物であり、例えば、紙幣、有価証券、その他の一般文書などの被読取媒体である。原稿Ｍは、読取面が透明板１に対向する向きで透明板１に接している。原稿Ｍは、図示していない搬送機構により画像読取装置１００に搬送される。透明板１に接した原稿Ｍの画像を画像読取装置１００が読み取る。なお、原稿Ｍが固定され、画像読取装置１００が移動してもよい。原稿Ｍが画像読取装置１００に対して相対的に移動する方向が副走査方向である。後述する受光体１３が配列される方向が主走査方向である。本発明の実施の形態について説明するにあたり、図１に示す主走査方向、副走査方向及び高さ方向について、以下のように定義する。主走査方向は画像読取装置１００の長手方向である。副走査方向は画像読取装置１００の短手方向である。さらに高さ方向は、原稿Ｍの読取面の法線方向であり透明板１の法線方向である。すなわち高さ方向は、主走査方向及び副走査方向の両方に直交する方向である。以下の説明では、主走査方向、副走査方向及び高さ方向において、画像読取装置１００の中心を基準として内側、外側という。
【００１５】
画像読取装置１００は、透明板１と、原稿Ｍの読取面に光を照射する導光体５及び導光体６と、原稿Ｍの読取面で反射された反射光を集光するレンズ体８と、導光体５及び導光体６の主走査方向の両端面に光を入射させる光源ユニット３及び光源ユニット４とレンズ体８で集光された光を受光するセンサユニット７とを備える。導光体５及び導光体６は、例えば樹脂、ガラスなどで構成されている。レンズ体８は、例えば、アレイ状に配列されたロッドレンズである。導光体ホルダ１４及び導光体ホルダ１５は、導光体５及び導光体６を保持する。レンズホルダ１１及びレンズホルダ１２は、導光体５及び導光体６とレンズ体８と図示しない光学フィルタとを保持する。以下、導光体５及び導光体６を総称する場合には、導光体といい、レンズホルダ１１及びレンズホルダ１２を総称する場合には、レンズホルダという。光学フィルタの詳細については、後述する。
【００１６】
図３Ａ及び図３Ｂを用いて光源ユニット３及び光源ユニット４について説明する。光源ユニット３の構成と光源ユニット４の構成とは同様である。以下の説明では、光源ユニット４の構成要素の符号を括弧書きにする。光源ユニット３（４）は、導光体５及び導光体６の内部に光を入射する光源１６（１８）及び光源１７（１９）と、光源１６（１８）及び光源１７（１９）を実装する光源基板２０（２１）と、光源基板２０（２１）の熱を放熱する伝熱体２２（２３）と、を備えている。伝熱体２２（２３）は、光源基板２０（２１）の光源１６（１８）及び光源１７（１９）の実装面とは反対側の面に密着している。以下、光源１６（１８）及び光源１７（１９）を総称する場合には、光源という。光源は、ＬＥＤ、有機ＥＬ等の発光素子であり、読み取る画像情報に応じて、赤色光（Ｒ）、緑色光（Ｇ）、青色光（Ｂ）、白色光（Ｗ）、紫外光（ＵＶ）、赤外光（ＩＲ）等を発光するものが用いられる。
【００１７】
図１に戻り、センサユニット７は、センサ基板２４と、センサ基板２４に実装された受光体１３とを備える。レンズ体８は、原稿Ｍの読取面で反射された反射光を受光体１３上に結像させる。受光体１３は、結像された反射光を、光電変換して電気信号として出力する。画像読取装置１００は、受光体１３が出力した電気信号を合成して、原稿Ｍの読取面の画像を得る。光源ユニット３及び光源ユニット４、導光体５及び導光体６、導光体ホルダ１４及び導光体ホルダ１５、レンズ体８、並びに、レンズホルダ１１及びレンズホルダ１２は、筐体９に固定される。
【００１８】
ここで、図４Ａ、図４Ｂ、図５Ａ及び図５Ｂを用いて導光体ホルダ１４及び導光体ホルダ１５とレンズホルダ１１及びレンズホルダ１２とについて説明する。図４Ａに示すように、導光体ホルダ１４は導光体保持部１４ａ及び導光体保持部１４ｂを有する。図４Ｂに示すように、導光体ホルダ１５は導光体保持部１５ａ及び導光体保持部１５ｂを有する。導光体保持部１４ａは、導光体５の主走査方向の端面側から光源１６側に向かって貫通した孔又は切り通しである。導光体保持部１４ｂは、導光体６の主走査方向の端面側から光源１７側に向かって貫通した孔又は切り通しである。同様に、導光体保持部１５ａは、導光体５の主走査方向の端面側から光源１８側に向かって貫通した孔又は切り通しである。導光体保持部１５ｂは、導光体６の主走査方向の端面側から光源１９側に向かって貫通した孔又は切り通しである。
【００１９】
レンズホルダ１１は、ホルダ底部１１ｇと、レンズ体保持部１１ｅ及びレンズ体保持部１１ｆと、ホルダ底部１１ｇのレンズ体保持部１１ｅ及びレンズ体保持部１１ｆとの交差部から副走査方向の外向きに突出しているホルダ底部突出部１１ｃ及びホルダ底部突出部１１ｄとを有する。レンズホルダ１２は、ホルダ底部１２ｇと、レンズ体保持部１２ｅ及びレンズ体保持部１２ｆと、ホルダ底部１２ｇのレンズ体保持部１２ｅ及びレンズ体保持部１２ｆとの交差部から副走査方向の外向きに突出しているホルダ底部突出部１２ｃ及びホルダ底部突出部１２ｄとを有する。レンズ体８は、レンズ体保持部１１ｅ及び１１ｆとレンズ体保持部１２ｅ及び１２ｆとに、例えば接着機能を有する遮光体１０で接着されて保持される。
【００２０】
レンズ体保持部１１ｅの副走査方向の外側面と、ホルダ底部突出部１１ｃの高さ方向の内側面に導光体位置決め部１１ａが形成されている。レンズ体保持部１１ｆの副走査方向の外側面と、ホルダ底部突出部１１ｄの高さ方向の内側面に導光体位置決め部１１ｂが形成されている。レンズ体保持部１２ｅの副走査方向の外側面と、ホルダ底部突出部１２ｃの高さ方向の内側面に導光体位置決め部１２ａが形成されている。レンズ体保持部１２ｆの副走査方向の外側面と、ホルダ底部突出部１２ｄの高さ方向の内側面に導光体位置決め部１２ｂが形成されている。導光体位置決め部１１ａ及び導光体位置決め部１１ｂの面形状は、少なくとも一部が、装着される導光体５及び導光体６の対面する面形状に等しい。同様に、導光体位置決め部１２ａ及び導光体位置決め部１２ｂの面形状は、少なくとも一部が、装着される導光体５及び導光体６の対面する面形状に等しい。図４Ａ及び図４Ｂの例では、導光体位置決め部１１ａ、１１ｂ、１２ａ、１２ｂは、導光体５及び導光体６の形状に合わせて、２つの平面で形成されているが、これに限らず、例えば１つの曲面であってもよいし、平面と曲面との組み合わせでもよい。
【００２１】
図４Ａ、図４Ｂ、図５Ａ及び図５Ｂに示すように、導光体ホルダ１４及び導光体ホルダ１５が導光体５と筐体９に高さ方向の原稿側から挿入されることにより、導光体５は、導光体保持部１４ａ及び導光体保持部１５ａに保持され、レンズホルダ１１の導光体位置決め部１１ａ及びレンズホルダ１２の導光体位置決め部１２ａによって位置決めされる。
【００２２】
同様に、導光体ホルダ１４及び導光体ホルダ１５が導光体６と筐体９に高さ方向の原稿側から挿入されることにより、導光体６は、導光体保持部１４ｂおよび導光体保持部１５ｂに保持され、レンズホルダ１１の導光体位置決め部１１ｂ及びレンズホルダ１２の導光体位置決め部１２ｂによって位置決めされる。
【００２３】
導光体保持部１４ａ及び導光体保持部１４ｂの面形状は、装着される導光体５及び導光体６の対面する面形状に等しい。同様に、導光体保持部１５ａ及び導光体保持部１５ｂの面形状は、装着される導光体５及び導光体６の対面する面形状に等しい。
【００２４】
つまり、導光体５及び導光体６は、レンズホルダ１１、１２の導光体位置決め部１１ａ、１１ｂ、１２ａ、１２ｂと導光体ホルダ１４、１５の導光体保持部１４ａ、１５ａとで挟み込まれて、高さ方向の位置及び副走査方向の位置が決まる。導光体位置決め部１１ａ、１２ａ、１１ｂ、１２ｂは、第１の位置決め部の例である。
【００２５】
なお、図４Ａ及び図４Ｂに示すように、センサ基板２４は、筐体９の原稿Ｍの読取面に対向する面とは反対側の面に基板固定部材２５にて固定される。透明板１は、筐体９に透明板固定部材２６にて固定される。透明板１は、画像読取装置１００に必ずしも固定する必要はなく、不要の場合はなくてもよい。
【００２６】
続いて、図６Ａ及び図６Ｂを用いて、レンズホルダ１１及びレンズホルダ１２に装着される光学フィルタ２７及び光学フィルタ２８について説明する。光学フィルタ２７及び光学フィルタ２８は、例えば赤外光カットフィルタ（ＩＲＣＦ）のような、光源からの光の内、特定の波長の光を遮断又は減衰する光学フィルタである。レンズホルダ１１の構成とレンズホルダ１２の構成とは同様である。以下の説明では、レンズホルダ１２の構成要素及び光学フィルタ２８の符号を括弧書きにする。図６Ａに示すように、レンズホルダ１１（１２）は、光学フィルタ側面位置決め部１１ｈ（１２ｈ）、１１ｉ（１２ｉ）及び光学フィルタ底面位置決め部１１ｊ（１２ｊ）、１１ｋ（１２ｋ）を有する。光学フィルタ側面位置決め部１１ｈ（１２ｈ）、１１ｉ（１２ｉ）は、導光体位置決め部１１ａ（１２ａ）の高さ方向に延びる平面の光源側の辺１１ｐ（１２ｐ）、１１ｑ（１２ｑ）よりもレンズホルダ１１（１２）の内側に位置している。すなわち、光学フィルタ側面位置決め部１１ｈ（１２ｈ）は、レンズホルダ１１（１２）の光源に対向する面において、導光体位置決め部１１ａ（１２ａ）の位置よりも副走査方向の導光体５とは反対側にずれた位置にある。光学フィルタ側面位置決め部１１ｉ（１２ｉ）は、レンズホルダ１１（１２）の光源に対向する面において、導光体位置決め部１１ｂ（１２ｂ）よりも副走査方向の導光体６とは反対側にずれた位置にある。
【００２７】
光学フィルタ２７（２８）がレンズホルダ１１（１２）に接着される際、図６Ａ及び図６Ｂの斜線部で示す接着剤塗布領域１１ｎ（１２ｎ）、１１ｏ（１２ｏ）に、光学フィルタ２７（２８）の光を透過させる面の隣り合う２辺を光学フィルタ側面位置決め部１１ｈ（１２ｈ）、１１ｉ（１２ｉ）及び光学フィルタ底面位置決め部１１ｊ（１２ｊ）、１１ｋ（１２ｋ）に合わせて、貼り付けることにより、光学フィルタ２７（２８）がレンズホルダ１１（１２）に固定され、導光体５及び導光体６に対する位置が決まる。光学フィルタ側面位置決め部１１ｈ（１２ｈ）、１１ｉ（１２ｉ）によって、光学フィルタ２７（２８）の副走査方向の位置が決まり、光学フィルタ底面位置決め部１１ｊ（１２ｊ）、１１ｋ（１２ｋ）によって、光学フィルタ２７（２８）の高さ方向の位置が決まる。光学フィルタ側面位置決め部１１ｈ、１１ｉ、１２ｈ、１２ｉ及び光学フィルタ底面位置決め部１１ｊ、１１ｋ、１２ｊ、１２ｋは、第２の位置決め部の例である。
【００２８】
接着剤塗布領域１１ｎ（１２ｎ）、１１ｏ（１２ｏ）は、レンズ体保持部１１ｅ及びレンズ体保持部１１ｆに形成された導光体位置決め部１１ａ（１２ａ）、１１ｂ（１２ｂ）の高さ方向に延びる平面の光源側の辺１１ｐ（１２ｐ）、１１ｑ（１２ｑ）と、光学フィルタ側面位置決め部１１ｈ（１２ｈ）、１１ｉ（１２ｉ）と、光学フィルタ底面位置決め部１１ｊ（１２ｊ）、１１ｋ（１２ｋ）とで囲まれた領域である。以下、接着剤塗布領域１１ｎ（１２ｎ）、１１ｏ（１２ｏ）を総称する場合は、接着剤塗布領域という。光学フィルタ２７（２８）を総称する場合は、光学フィルタという。接着剤塗布領域は、光学フィルタとレンズホルダとが主走査方向に重複している領域である。接着剤塗布領域の接着面形状は装着される光学フィルタの表面形状に等しい。接着剤塗布領域１１ｎ（１２ｎ）、１１ｏ（１２ｏ）は、接着面の例である。
【００２９】
すなわち、図６Ａ及び図６Ｂにおいて、光学フィルタ２７（２８）とレンズホルダ１１（１２）との主走査方向の重複面が、光学フィルタ２７（２８）とレンズホルダ１１（１２）との接着面となる。
【００３０】
光学フィルタ側面位置決め部１１ｈ（１２ｈ）、１１ｉ（１２ｉ）と、光学フィルタ底面位置決め部１１ｊ（１２ｊ）、１１ｋ（１２ｋ）とは、例えば、図７Ａに示すように、レンズホルダ１１（１２）の光源側の最外面と光源側の最外面よりも主走査方向の内側にある接着剤塗布領域１１ｎ（１２ｎ）、１１ｏ（１２ｏ）との段差である。あるいは、光学フィルタ側面位置決め部１１ｈ（１２ｈ）、１１ｉ（１２ｉ）と、光学フィルタ底面位置決め部１１ｊ（１２ｊ）、１１ｋ（１２ｋ）とは、図７Ｂに示すようにレンズホルダ１１（１２）の光源側の最外面に描かれた線であってもよい。
【００３１】
図６Ａ及び図６Ｂ、図７Ａ及び図７Ｂの例では、光学フィルタ側面位置決め部１１ｈ（１２ｈ）、１１ｉ（１２ｉ）と、光学フィルタ底面位置決め部１１ｊ（１２ｊ）、１１ｋ（１２ｋ）とは、直線で形成されているが、これに限らず、装着される光学フィルタ２７（２８）の光を透過させる面の形状に合わせた形状でよい。例えば曲線であってもよいし、直線と曲線との組み合わせでもよい。
【００３２】
図４Ａ及び図４Ｂに示すようにレンズホルダ１１、１２の導光体位置決め部１１ａ、１１ｂ、１２ａ、１２ｂと導光体ホルダ１４、１５の導光体保持部１４ａ、１５ａとで挟み込まれて保持された導光体５、６と、図６Ａ及び図６Ｂに示すように光学フィルタ側面位置決め部１１ｈ、１１ｉ、１２ｈ、１２ｉ及び光学フィルタ底面位置決め部１１ｊ、１１ｋ、１２ｊ、１２ｋによって位置決めされた光学フィルタ２７、２８とは、導光体５、６の副走査方向の断面中心と光学フィルタ２７、２８の副走査方向の断面中心との副走査方向及び高さ方向の位置が一致する。
【００３３】
上記によりレンズホルダ１１、１２に接着された光学フィルタ２７、２８と導光体５、６との相対位置が高精度に保たれる機構となっている。また、導光体５、６と光学フィルタ２７、２８との位置ばらつきが抑制されるため、光学フィルタ２７、２８のサイズに余裕を持たせる必要がなく、光学フィルタ２７、２８のサイズを小さくすることができる。これにより、画像読取装置１００のサイズも小さくすることができる。
【００３４】
図６Ａおよび図６Ｂに示すように、レンズホルダ１１は凹状の余剰接着剤逃がし機構１１Ｌ、１１ｍを有し、レンズホルダ１２は凹状の余剰接着剤逃がし機構１２Ｌ、１２ｍを有する。又、余剰接着剤逃がし機構１１Ｌと余剰接着剤逃がし機構１１ｍとは繋がっていてもよい。同様に余剰接着剤逃がし機構１２Ｌと余剰接着剤逃がし機構１２ｍとは繋がっていてもよい。又、余剰接着剤逃がし機構１１Ｌ、１２Ｌはレンズホルダ背面部に複数設置してもよい。
【００３５】
レンズホルダ１１の余剰接着剤逃がし機構１１Ｌ、１１ｍはレンズホルダ１２の背面すなわち光源に対向する面に光学フィルタ側面位置決め部１１ｈ、１１ｉを跨いで設けられている。レンズホルダ１１に光学フィルタ２７が接着される時、塗布された接着剤の余剰分が光学フィルタ２７によって余剰接着剤逃がし機構１１Ｌ、１１ｍの方に押し出されることで、導光体側に接着剤が流れ込まない。
【００３６】
同様にレンズホルダ１２の余剰接着剤逃がし機構１２Ｌ、１２ｍはレンズホルダ１２の背面すなわち光源に対向する面に光学フィルタ側面位置決め部１２ｈ、１２ｉを跨いで設けられている。レンズホルダ１２に光学フィルタ２８が接着される時、塗布された接着剤の余剰分が光学フィルタ２８によって余剰接着剤逃がし機構１２Ｌ、１２ｍの方に押し出されることで、導光体側に接着剤が流れ込まない。余剰接着剤逃がし機構１１Ｌ、１１ｍ、１２Ｌ、１２ｍは、余剰接着剤溜り部の例である。光学フィルタ側面位置決め部１１ｈ、１１ｉ、１２ｈ、１２ｉは、光学フィルタの副走査方向の位置を決める部分の例である。
【００３７】
余剰接着剤逃がし機構１１Ｌ、１１ｍ、１２Ｌ、１２ｍの構造は、使用する接着剤及び条件に依り、塗布する接着剤量に対し余剰分を十分に逃がす深さおよび大きさを有している機構とする。又、余剰接着剤逃がし機構１１Ｌ、１１ｍはレンズホルダ１１を副走査方向に貫通する形で設けられていてもよい。余剰接着剤逃がし機構１２Ｌ、１２ｍはレンズホルダ１２を副走査方向に貫通する形で設けられていてもよい。また、余剰接着剤逃がし機構１１Ｌ、１１ｍ、１２Ｌ、１２ｍはレンズホルダ１１、１２の接着剤塗布領域の境界に設けられ、余剰接着剤逃がし機構１１Ｌ、１１ｍ、１２Ｌ、１２ｍには、光学フィルタ側面位置決め部１１ｈ、１１ｉ、１２ｈ、１２ｉから内側に向かって、光学フィルタ２７、２８の接着面から出ている部分がある。そのため、余剰接着剤逃がし機構１１Ｌ、１１ｍ、１２Ｌ、１２ｍの、光学フィルタ２７、２８がレンズホルダ１１、１２に接着される接着面、つまり接着剤塗布領域内に設けられた部分が、余剰接着剤で満タンになっても、光学フィルタ２７、２８の接着面から出ている部分へ接着剤が誘導されるため、導光体５、６側へ接着剤が侵入することを防止できる。
【００３８】
図６Ａ及び図６Ｂの例では、余剰接着剤逃がし機構１１Ｌ、１１ｍ、１２Ｌ、１２ｍは、レンズホルダ１１、１２の背面すなわち光源に対向する面において開口が円形の凹状をしている。余剰接着剤逃がし機構１１Ｌ、１１ｍ、１２Ｌ、１２ｍは半円部分が、光学フィルタ２７、２８がレンズホルダ１１、１２に接着される接着面、つまり接着剤塗布領域内に設けられ、残りの半円部分が、光学フィルタ２７、２８の接着面から出ている。以下、余剰接着剤逃がし機構１１Ｌ、１１ｍ、１２Ｌ、１２ｍを総称する場合は、余剰接着剤逃がし機構という。
【００３９】
図８は、余剰接着剤逃がし機構の開口の形の他の例である。余剰接着剤逃がし機構は円形に限らず、導光体、光学フィルタ、レンズホルダの形状に応じて、開口が三角形、多角形など他の形の凹状の構成にしてもよい。図８に示すどの形であっても、余剰接着剤逃がし機構は、一部が接着剤塗布領域内に設けられ、残りの部分が、光学フィルタ２７、２８の接着面から導光体５、６とは反対方向に出ている。
【００４０】
接着剤はレンズホルダ１１の余剰接着剤逃がし機構１１Ｌ及び余剰接着剤逃がし機構１１ｍの一部を含む接着剤塗布領域１１ｎ、１１ｏに塗布される。又、接着剤はレンズホルダ１２の余剰接着剤逃がし機構１２Ｌ及び余剰接着剤逃がし機構１２ｍの一部を含む接着剤塗布領域１２ｎ、１２ｏに塗布される。
【００４１】
光学フィルタ２７はレンズホルダ１１の接着剤塗布領域１１ｎ、１１ｏに対し光学フィルタ側面位置決め部１１ｈ、１１ｉ及び光学フィルタ底面位置決め部１１ｊ、１１ｋを基準に押し当てられ貼り付けられる。同様に、光学フィルタ２８はレンズホルダの接着剤塗布領域１２ｎ、１２ｏに対し光学フィルタ側面位置決め部１２ｈ、１２ｉ及び光学フィルタ底面位置決め部１２ｊ、１２ｋを基準に押し当てられ貼り付けられる。貼り付けた際に余剰接着剤は余剰接着剤逃がし機構１１Ｌ、１１ｍ及び余剰接着剤逃がし機構１２Ｌ、１２ｍに押し出されることにより導光体側、すなわち光源から導光体端面までの光経路への接着剤の侵入を防ぐ機構となっている。
【００４２】
このように、レンズホルダ１１に対して光学フィルタ２７の貼り付け位置を定めることにより、レンズホルダ１１に接着された光学フィルタ２７と導光体５、６との相対位置が高精度に保たれる。また、余剰接着剤逃がし機構１１Ｌ、１１ｍをレンズホルダ１１に設けることにより安定して光学フィルタ２７を接着することができる。レンズホルダ１２側も同様である。結果、光学フィルタのサイズを縮小し、かつ光学フィルタ接着時の余剰接着剤の導光体側へのはみ出しを抑制し、画像が高品質な画像読取装置が得られる。
【００４３】
上記の実施の形態では、画像読取装置１００は、２本の導光体を備えるが、これに限らず、１本でもよいし３本以上でもよい。
【００４４】
上記の実施の形態では、第１の目的と第２の目的とを両方実現する実施の形態について説明したが、第１の目的のみを実現する実施の形態、または、第２の目的のみを実現する実施の形態でもよい。第１の目的のみを実現する実施の形態では、レンズホルダ１１、１２は、余剰接着剤逃がし機構１１Ｌ、１１ｍ、１２Ｌ、１２ｍを備えない。第２の目的のみを実現する実施の形態では、レンズホルダ１１、１２は、光学フィルタ側面位置決め部１１ｈ、１１ｉ、１２ｈ、１２ｉ及び光学フィルタ底面位置決め部１１ｊ、１１ｋ、１２ｊ、１２ｋを備えない。
【００４５】
なお、本発明は、本発明の広義の精神と範囲を逸脱することなく、様々な実施の形態及び変形が可能とされるものである。また、上述した実施の形態は、この発明を説明するためのものであり、本発明の範囲を限定するものではない。即ち、本発明の範囲は、実施の形態ではなく、請求の範囲によって示される。そして、請求の範囲内及びそれと同等の発明の意義の範囲内で施される様々な変形が、この発明の範囲内とみなされる。
【００４６】
本出願は、２０１８年９月５日に出願された、日本国特許出願特願２０１８−１６５６１０号に基づく。本明細書中に日本国特許出願特願２０１８−１６５６１０号の明細書、特許請求の範囲、図面全体を参照として取り込むものとする。
【符号の説明】
【００４７】
Ｍ  原稿（読取対象物）、１００  画像読取装置、１  透明板、３，４  光源ユニット、５，６  導光体、７  センサユニット、８  レンズ体、９  筐体、１０  遮光体、１１，１２  レンズホルダ、１１ａ，１１ｂ，１２ａ，１２ｂ  導光体位置決め部（第１の位置決め部）、１１ｃ，１１ｄ，１２ｃ，１２ｄ  ホルダ底部突出部、１１ｅ，１１ｆ，１２ｅ，１２ｆ  レンズ体保持部、１１ｇ，１２ｇ  ホルダ底部、１１ｈ，１１ｉ，１２ｈ，１２ｉ  光学フィルタ側面位置決め部（第２の位置決め部）、１１ｊ，１１ｋ，１２ｊ，１２ｋ  光学フィルタ底面位置決め部（第２の位置決め部）、１１Ｌ，１１ｍ，１２Ｌ，１２ｍ  余剰接着剤逃がし機構（余剰接着剤溜り部）、１１ｎ，１１ｏ，１２ｎ，１２ｏ  接着剤塗布領域（接着面）、１１ｐ，１１ｑ，１２ｐ，１２ｑ  辺、１３  受光体、１４，１５  導光体ホルダ、１４ａ，１４ｂ，１５ａ，１５ｂ  導光体保持部、１６，１７，１８，１９  光源、２０，２１  光源基板、２２，２３  伝熱体、２４  センサ基板、２５  基板固定部材、２６  透明板固定部材、２７，２８  光学フィルタ。
【図１】
2020050300.tif 000003
【図２】
2020050300.tif 000004
【図３Ａ】
2020050300.tif 000005
【図３Ｂ】
2020050300.tif 000006
【図４Ａ】
2020050300.tif 000007
【図４Ｂ】
2020050300.tif 000008
【図５Ａ】
2020050300.tif 000009
【図５Ｂ】
2020050300.tif 000010
【図６Ａ】
2020050300.tif 000011
【図６Ｂ】
2020050300.tif 000012
【図７Ａ】
2020050300.tif 000013
【図７Ｂ】
2020050300.tif 000014
【図８】
2020050300.tif 000015
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
主走査方向の端面に光源からの光が入射され、相対的に副走査方向に移動する読取対象物へ光を出射する主走査方向に延在する導光体と、前記導光体の主走査方向の端面と前記光源との間に設けられ、前記光源から発せられた光の内、特定の波長の光を遮断又は減衰させる光学フィルタと、前記読取対象物で反射した反射光を収束して、前記反射光を電気信号に変換する受光体上に結像させるレンズ体と、前記導光体、前記光学フィルタ、及び前記レンズ体を保持するレンズホルダと、を備えた画像読取装置において、
前記レンズホルダは、前記導光体の、主走査方向と副走査方向とに直交する高さ方向の位置及び副走査方向の位置を決める第１の位置決め部と、前記光学フィルタの、主走査方向と副走査方向とに直交する高さ方向の位置及び副走査方向の位置を決める第２の位置決め部と、を備える、
画像読取装置。
【請求項２】
前記第２の位置決め部は、前記レンズホルダの前記光源に対向する面において、前記第１の位置決め部の位置よりも副走査方向の前記導光体がある側とは反対側にずれた位置にあり、
前記光学フィルタは、前記レンズホルダの前記光源に対向する面の前記第１の位置決め部と前記第２の位置決め部との間に設けられた接着面に、前記第２の位置決め部を基準に接着剤で接着されて固定され、
前記接着面の境界に凹状の余剰接着剤溜り部が形成されており、前記余剰接着剤溜り部の一部は、前記接着面に設けられ、前記余剰接着剤溜り部の残りの部分は、副走査方向の前記導光体がある側とは反対方向に前記接着面から出ている、
請求項１に記載の画像読取装置。
【請求項３】
前記余剰接着剤溜り部は、前記第２の位置決め部における前記光学フィルタの副走査方向の位置を決める部分を跨いで形成される、請求項２に記載の画像読取装置。
【請求項４】
前記余剰接着剤溜り部の開口は円形である、請求項２または請求項３に記載の画像読取装置。
【請求項５】
前記第１の位置決め部の面形状の少なくとも一部は、前記導光体の対面する面形状に等しい、請求項１から請求項４のいずれか１項に記載の画像読取装置。
【請求項６】
前記第１の位置決め部によって位置決めされた前記導光体と、前記第２の位置決め部によって位置決めされた前記光学フィルタとは、前記導光体の副走査方向の断面中心と前記光学フィルタの副走査方向の断面中心との副走査方向及び高さ方向の位置が一致する請求項１から請求項５のいずれか１項に記載の画像読取装置。
【請求項７】
前記導光体の主走査方向の端面に対向して設けられた前記光源と、
主走査方向に配列され、前記レンズ体で収束された前記反射光を電気信号に変換する前記受光体と、
を備える、
請求項１から請求項６のいずれか１項に記載の画像読取装置。
【国際調査報告】
2020050300.tif 000016
2020050300.tif 000017